(57)【要約】【課題】原稿台ガラスとフレームとの間の隙間に埃やゴミが入ることを防止し、画像の読み込み処理に支障を生じさせない画像読込装置を提供する。【解決手段】筐体となるフレーム２上に原稿の載置面となる原稿台ガラス３が配置された画像読込装置において、フレーム２の前部に、原稿台ガラス３に対して下方に位置するように段部１０を形成するとともに、該段部１０の上面の一部を、原稿台ガラス３の前端部３Ｂの下面と対向する位置関係に配置する。【選択図】図３
2009237390.tif 000002
【特許請求の範囲】
【請求項１】
筐体となるフレーム上に、原稿が載置される原稿台ガラスが取り付けられた画像読込装置において、
前記原稿台ガラスに接するフレームの縁部に、前記原稿台ガラスより下方に延在するように段部を形成するとともに、該段部の底面の一部を、前記原稿台ガラスの端部の下面と対向する位置関係に配置してなることを特徴とする画像読込装置。
【請求項２】
前記段部は、前記原稿台ガラスに接するフレームの前側縁部に設けられていることを特徴とする請求項１記載の画像読込装置。
【請求項３】
前記段部の前記底面上に、粘着物が設けられていることを特徴とする請求項１または２記載の画像読込装置。
【請求項４】
前記段部の前記底面の一部と前記原稿台ガラスの端部の下面との間に、スポンジが設けられていることを特徴とする請求項１または２記載の画像読込装置。
【請求項５】
前記段部の前記底面の端部に直立し、その上部が原稿台ガラスの端部の下面と接する壁部が設けられていることを特徴とする請求項１または２記載の画像読込装置。
【請求項６】
画像読込装置にて原稿の画像データを取得し、該画像データに基づいて記録媒体に画像形成を行う画像形成装置であって、
前記画像読込装置として、請求項１〜５いずれかに記載の画像読込装置を用いることを特徴とする画像形成装置。
【発明の詳細な説明】
【技術分野】
【０００１】
本発明は、コピー、スキャナーなどに使用される画像読込装置及び該画像読込装置を備える画像形成装置に関するものである。
【背景技術】
【０００２】
従来、この種の画像読込装置として、特許文献１に示される技術が知られている。この特許文献１に示される画像読込装置では、筐体となるフレームの上面に形成された開口を塞ぐように原稿台ガラスが取り付けられ、該原稿台ガラスの左側縁部と奥側縁部に沿うように、それぞれ被読込物である原稿の縁部が突き当てられる原稿スケールが配置されている。そして、上記のような画像読込装置では、ユーザーが原稿の縁部を原稿スケールに突き当てることによって、当該原稿が原稿台ガラス上の基準位置に載置及び位置決めされるようになっている。
【特許文献１】特開２０００‐２５８８５７号公報
【発明の開示】
【発明が解決しようとする課題】
【０００３】
ところで、上記のように構成された画像読込装置では、メンテナンス等で原稿台ガラスをフレームから取り外す場合に、該フレームの右側部に設けられた切欠部に指先を掛け、この切欠部を通じて、フレームから原稿台ガラスを持ち上げるようにしている。しかしながら、このような切欠部を介して原稿台ガラスの持ち上げる方式では、該切欠部内にある原稿台ガラスとフレームとの隙間を通じて、装置内部に埃やゴミが入ることがあり、読み込んだ画像に異物の影響が出るなどの不具合が生じていた。
【０００４】
本発明は、上述する問題点に鑑みてなされたもので、原稿台ガラスとフレームとの間の隙間に埃やゴミが入ることを防止し、画像の読み込み処理に支障を生じさせない画像読込装置の提供を目的とする。
【課題を解決するための手段】
【０００５】
上記課題を解決するために、本発明の画像読込装置は、筐体となるフレーム上に、原稿が載置される原稿台ガラスが取り付けられた画像読込装置において、上記原稿台ガラスに接するフレームの縁部に、上記原稿台ガラスより下方に延在するように段部を形成するとともに、該段部の底面の一部を、上記原稿台ガラスの端部の下面と対向する位置関係に配置してなることを特徴とする。
【０００６】
また、本発明の画像読込装置においては、前記段部は、前記原稿台ガラスに接するフレームの前側縁部に設けられているという構成を採用する。
【０００７】
また、本発明の画像読込装置においては、前記段部の前記底面上に、粘着物が設けられているという構成を採用する。
【０００８】
また、本発明の画像読込装置においては、前記段部の前記底面の一部と前記原稿台ガラスの端部の下面との間に、スポンジが設けられているという構成を採用する。
【０００９】
また、本発明の画像読込装置においては、前記段部の前記底面の端部に直立し、その上部が原稿台ガラスの端部の下面と接する壁部が設けられているという構成を採用する。
【００１０】
また、本発明の画像形成装置は、画像読込装置にて原稿の画像データを取得し、該画像データに基づいて記録媒体に画像形成を行う画像形成装置であって、前記画像読込装置として、本発明の画像読込装置を用いることを特徴とする。
【発明の効果】
【００１１】
本発明によれば、上記原稿台ガラスに接するフレームの縁部に、上記原稿台ガラスより下方に延在するように段部を形成するとともに、該段部の底面の一部を、上記原稿台ガラスの端部の下面と対向する位置関係に配置したため、フレームと原稿台ガラスとの間隙を通じて、埃、ゴミなどの異物が内部に進入することを防止することができ、画像の読み込み処理に異物の影響が出るなどの不具合を防止できる効果がある。
【発明を実施するための最良の形態】
【００１２】
以下、図面を参照して、本発明に係る画像読込装置及び画像形成装置の一実施形態について説明する。なお、以下の図面において、各部材を認識可能な大きさとするために、各部材の縮尺を適宜変更している。
【００１３】
（画像読込装置）
図１及び図２に示すように、本実施形態の画像読込装置１においては、筐体となるフレーム２の縁部内に形成された開口を塞ぐように原稿台ガラス３が取り付けられ、該原稿台ガラス３の左側縁部と奥側縁部に沿うように、被読込物である原稿の縁部がそれぞれ突き当てられる原稿スケール４、５が配置されている。そして、ユーザーが原稿スケール４、５に原稿の縁部を突き当て、当該原稿を、原稿台ガラス３上の基準位置に位置決めした状態で、フレーム２内に設けられたキャリッジ６が駆動される。
なお、図１に示すように、フレーム２の幅方向（矢印Ａ−Ｂ方向）を左右方向とし、フレーム２の奥行き方向（矢印Ｃ−Ｄ方向）を前側奥側方向とする。
【００１４】
キャリッジ６は、フレーム２の幅方向（矢印Ａ‐Ｂ方向）に沿って設けられたレール７（図２参照）上を走行するものであって、キャリッジ６上に設けられたキセノンランプ（図示略）から発せられた光は、原稿台ガラス３の上面に載置された原稿に照射されて反射する。その後、当該反射光である画像光は、図示しないミラーの反射によって光路を折り曲げながらレンズに導かれ、該レンズの集光によってＣＣＤ上に結像される。これにより原稿台ガラス３上の原稿が読み取られることになる。
【００１５】
また、原稿台ガラス３に接するフレーム２の前側縁部には該フレーム２と一体な段部１０が設けられている。該段部１０は、フレーム２の前部の板状部分を絞ったような形状に設けられており、フレーム２の表面から原稿台ガラスよりも下方に延在して形成されている。
具体的には、図３に示すように、段部１０は、原稿台ガラス３の下面とほぼ同一の高さに配置されかつその板面が水平な第１水平部１１と、該第１水平部１１の端部に接続されてその板面がフレーム２の外側から内側に向けて下方に傾斜する接続部１２と、該接続部１２の下部に接続されてその板面が水平な第２水平部１３と、を有する構成である。
【００１６】
原稿台ガラス３に対して下方にかつ平行となる位置関係に配置されるとともに、第２水平部１３の上面（段部１０の底面）の一部（図３に符号１３Ａで示す）は、原稿台ガラス３の前端部３Ｂの下面と対向する位置関係、すなわち、原稿台ガラス３の前端部３Ｂの下面とオーバーラップする位置関係に配置されている。
そして、このような配置によって、原稿台ガラス３の前端部３Ｂが、段部１０の開口部１０Ａ内に水平に突出した状態となり、この突出部分に、作業者の指先を引っ掛けて該原稿台ガラス３の前端部３Ｂを下側から持ち上げることで、該原稿台ガラス３がフレーム２から容易に取り外されるようになっている。
なお、上フレーム２と一体に形成される段部１０は、例えば、絞り加工等により製造される。
【００１７】
一方、上記段部１０の第２水平部１３上には、図３に示すように、原稿台ガラス３の前端部３Ｂ下面との隙間から異物が進入することを防止するシール部材１４が設けられている。このシール部材１４は、例えばシリコンポリマー、天然ゴムなどの粘着物によって構成されているものであって、原稿台ガラス３側に位置する第２水平部１３上に設けられている。
そして、このようなシール部材１４によって、フレーム２の段部１０と原稿台ガラス３との間隙に進入しようとする埃、ゴミなどの異物を接着して、該異物が装置内に進入することを防止する。
【００１８】
なお、段部１０の第２水平部１３上にシール部材１４として粘着物を設けたが、図４で示すように、該粘着物に代えてスポンジを設けても良い。このスポンジは、段部１０の第２水平部１３上に形成された開口部１０Ａ内に収容配置されているものであって、装置内への異物の進入を防ぐ役割がある。また、このスポンジは、原稿台ガラス３の取り外しのために、作業者の指先を段部１０の開口部１０Ａに進入させたとしても、自らが弾性変形することで、その指先を支障なく開口部１０Ａ内に受け入れる役割もある。
【００１９】
以上詳細に説明したように本実施形態に示される画像読込装置１では、フレーム２の前部に、原稿台ガラス３に対して下方に位置するように段部１０を形成するとともに、該段部１０の上面の一部（図３に符号１３Ａで示す）を、原稿台ガラス３の前端部３Ｂと対向する位置関係に配置したので、フレーム２と原稿台ガラス３との間隙を通じて、埃、ゴミなどの異物が内部に進入することを防止することができ、画像の読み込み処理に異物の影響が出るなどの不具合を防止できる。
さらに該原稿台ガラス３の前端部３Ｂが配置されていない段部１０の開口部１０Ａ（この部分を符号１０ａで示す）から、作業者が指先を挿入することで、該原稿台ガラス３の前端部３Ｂを下側から持ち上げることができ、該原稿台ガラス３をフレーム２から取り外すことができる。このような操作によってフレーム２に設置された原稿台ガラス３が容易に取り外されて、画像読込装置１のメンテナンス作業の効率性を向上させることができる。
【００２０】
また、上記画像読込装置１では、フレーム２の段部１０に、シール部材１４として粘着物を設けたことから、該粘着物によって、埃、ゴミなどの異物を接着して捕集することでき、該異物が、装置内への進入することを確実に防止できる。
すなわち、上記画像読込装置１では、フレーム２の段部１０の底面に、粘着物をシール部材１４として設けることによってこれらフレーム２と原稿台ガラス３との間隙を通じて、埃、ゴミなどの異物が内部に進入することを防止することができ、画像の読み込み処理に支障が生じることを防止できる効果がある。
また、段部１０上に、シール部材１４としてスポンジを設けた場合には、該スポンジによって、装置内への異物の進入を防ぐことができるとともに、仮に作業者の指先が段部１０内に入ったとしても、スポンジが弾性変形することで、その指先を支障なく段部１０内に進入させることができ、当該段部１０を通じた原稿台ガラス３の持ち上げ作業も問題無く行うことができる。
【００２１】
また、上記画像読込装置１では、フレーム２の縁部の段部１０は、絞り加工等により容易に形成することができ、この段部１０によってフレーム２の縁部の強度を増すことができ、装置の信頼性を向上させることができる。
【００２２】
また、上記画像読込装置１では、上述した段部１０を、原稿の走査に影響が出ないフレーム２の前部に設けたので、特に走査装置に配慮してフレーム２の横幅をアップさせる等のサイズを変更することなく、上記構成を実現することができる。
【００２３】
なお、上記実施形態では、シール部材１４を粘着物またはスポンジによって構成したが、これに限定されず、図５で示すような壁部によって構成しても良い。この壁部は、原稿台ガラス３側に位置する第２水平部１３上の端部に直立し、その上部が原稿台ガラス３の前端部３Ｂ下面と接するように設けられ、かつ段部１０の第２水平部１３と一体に設けられている。そして、このような壁部によっても、上記と同様に、フレーム２の段部１０と原稿台ガラス３との間隙をシールすることができ、該間隙を通じて、埃、ゴミなどの異物が内部に進入することを防止できる。
【００２４】
また、上記実施形態では、段部１０及び段部１０内のシール部材１４を、フレーム２の前部中央に１組設けたが、作業者が両手で原稿台ガラス３を持ち上げることができるように、フレーム２の前部に間隔をおいて２組設けるようにしても良い。また、幅方向（矢印Ａ‐Ｂ方向）に対してフレーム２を大型化することに問題ないのであれば、該フレーム２の前部では無く、該フレーム２の右側縁部に、上述した段部１０及び該段部１０内のシール部材１４を（１組又は２組）設けても良い。
【００２５】
また、上記実施形態では、原稿台ガラス３の前端部３Ｂによって、段部１０の開口部１０Ａの一部を閉鎖するようにしたが、埃、ゴミなどの異物の進入を確実に防ぐために、図３〜図５に示すように、原稿台ガラス３の前端部３Ｂによって閉鎖されない段部１０の開口部１０Ａ（符号１０ａで示す）を、別途、設置したカバー２０により覆うようにしても良い。このカバー２０は、図１〜図３に示すようにフレーム２に脱着自在に設けられるものであって、原稿台ガラス３の取り外し作業前に、該フレーム２から取り外しておくと良い。
【００２６】
また、上記実施形態では、段部１０において第１水平部１１と第２水平部１３とを傾斜状の接続部１２によって接続したが、傾斜状に設けることに限定されず、接続部１２を垂直状に設けても良い。
【００２７】
（画像形成装置）
次に、図６を参照して上記画像読取装置を備える画像形成装置について説明する。なお、以下の説明においては、画像形成装置の一例として複写機を挙げて説明するが、本発明はこれに限られるものではなく、例えば、プリンタ、ファクシミリ及び複合機等の画像形成装置に適用することができる。
【００２８】
図６は、本実施形態における複写機１０００を示す斜視図である。
複写機１０００は、図６に示すように、原稿の画像を読み取る画像読取装置２００と、画像読取装置２００の原稿読取位置に原稿を給送する自動原稿送り装置３００と、画像が形成される印刷用紙（記録媒体）を収納する用紙カセット４００と、複写機１０００を操作する操作装置５００とを有する構成となっている。そして、画像読取装置２００として、上記実施形態の画像読取装置１が用いられている。
また、複写機１の内部には、画像読取装置２００で読み取った画像を記憶する画像記憶部と、記憶された画像を画像処理する画像処理部と、画像処理されたデータを基に印刷処理（画像形成）をする印刷部と、複写機１０００の全体動作を制御する制御部とを備える構成となっている。
【００２９】
画像読取装置２００は、例えば、原稿の画像を読み取るＣＣＤ（Charge Coupled Device）ラインセンサ等を備えるスキャナーを有する構成となっており、制御部の制御の下、自動原稿送り装置３００から供給された原稿の画像をスキャナーで読み取り、原稿画像の形状や色彩等の画像データを画像記憶部に出力する構成となっている。
【００３０】
画像記憶部は、ハードディスク等の外部記憶装置或いは／及び半導体メモリ等から構成されており、制御部の制御の下、画像読取装置２００から入力された画像データを書き込み記憶すると共に、当該画像データを読み出して画像処理部へ出力する構成となっている。
【００３１】
画像処理部は、制御部の制御の下、画像記憶部から入力された原稿の画像データ（ＲＧＢ型式画像データ）に各種の画像処理を施すと共に、当該画像処理によって生成された画像データ（ＲＧＢ型式画像データ）を印刷形式の画像データ（ＣＭＹＫ型式画像データ）に変換して印刷部に出力するものである。
【００３２】
印刷部は、制御部の制御の下、用紙カセット３００に収納された印刷用紙を搬送しつつ当該印刷用紙にトナーを付着させることにより、画像処理部から入力された画像データに基づいて印刷用紙に画像を形成するものであり、感光ドラム、露光装置、定着装置等を備える構成となっている。
【００３３】
制御部は、ＣＰＵ（Central Processing Unit）、ＲＯＭ（Read Only Memory）やＲＡＭ（Random Access Memory）等の内部メモリから成る電子部品及び電子回路等、並びに各種構成機器とのデータ授受を行う入出力インターフェース回路等から構成されている。
【００３４】
このような本実施形態の複写機１０００によれば、上記画像読取装置２００にて上述の画像読取装置１と同様の効果を奏する。
【００３５】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３６】
【図１】本発明の一実施形態に係る画像読込装置を示す斜視図である。
【図２】図１のＩＩ−ＩＩ線に沿う側断面図である。
【図３】図１のＩＩＩ−ＩＩＩ線に沿う側断面図であって、シール部材に粘着物を用いた場合を示している。
【図４】本発明の一実施形態に係る画像読込装置の変形例を示す側断面図であって、シール部材にスポンジを用いた場合の例を示している。
【図５】本発明の一実施形態に係る画像読込装置の変形例を示す側断面図であって、シール部材に壁部を用いた場合の例を示している。
【図６】本発明の一実施形態に係る画像形成装置である複写機の斜視図である。
【符号の説明】
【００３７】
１……画像読込装置、２……フレーム、３……原稿台ガラス、３Ｂ……前端部、１０……段部、１４……シール部材、１０００……複写機、２００……画像読込装置
【図１】
2009237390.tif 000003
【図２】
2009237390.tif 000004
【図３】
2009237390.tif 000005
【図４】
2009237390.tif 000006
【図５】
2009237390.tif 000007
【図６】
2009237390.tif 000008